(57)【要約】      （修正有）【課題】ポートから外れないようにするために、押されると反発して位置決めされる機能を備えたコネクタプラグのラッチ構造を提供する。【解決手段】コネクタプラグ１と、圧迫反発位置決め構造２とからなる。コネクタプラグ１は、上方に配置されたラッチ１１と、ラッチ１１後方位置に配置された枢支溝部１４を備える。圧迫反発位置決め構造２は、コネクタプラグラッチの後ろ向きの位置に配置されるとともに、カバー片２１とバネ部材２２とからなり、前記カバー片２１は、ラッチ１１の上方を覆った状態を保ち、それにより、両者は重なり覆いかぶさる構造を形成する。また、前記カバー片２１は、枢軸により、コネクタプラグ１の枢支溝部１４にそれぞれ枢設され、それにより、反り返るように可動すると同時に尾部によって位置が限定され、バネ部材２２は、ラッチ１１の下方に設けられるとともに、ラッチ１１を支える構造を呈する。【選択図】図１
0003181562.tif 000002
【実用新案登録請求の範囲】
【請求項１】
コネクタプラグと、圧迫反発位置決め構造とからなる、押されると反発して位置決めされる機能を備えたコネクタプラグのラッチ構造であって、
コネクタプラグは、上方に配置されたラッチと、ラッチ後方位置に配置された枢支溝部を備え、
圧迫反発位置決め構造は、コネクタプラグラッチの後ろ向きの位置に配置されるとともに、カバー片とバネ部材とからなり、前記カバー片は、ラッチの上方を覆った状態を保ち、それにより、両者は重なり覆いかぶさる構造を形成し、
また、前記カバー片は、枢軸により、コネクタプラグの枢支溝部にそれぞれ枢設され、それにより、反り返るように可動すると同時に尾部によって位置が限定され、
バネ部材は、ラッチの下方に設けられるとともに、ラッチを支える構造を呈することを特徴とする、押されると反発して位置決めされる機能を備えたコネクタプラグのラッチ構造。
【請求項２】
前記カバー片の枢軸は、コネクタプラグの枢支溝部の枢支溝に対応することを特徴とする、請求項１に記載の押されると反発して位置決めされる機能を備えたコネクタプラグラッチ構造。
【請求項３】
前記バネ部材は軸リングを備え、軸リングは、ラッチ後方位置の枢支溝部の枢軸に枢設されることを特徴とする、請求項２に記載の押されると反発して位置決めされる機能を備えたコネクタプラグラッチ構造。
【請求項４】
前記バネ部材は軸リングを備え、軸リングは、カバー片の枢軸に枢設されることを特徴とする、請求項１に記載の押されると反発して位置決めされる機能を備えたコネクタプラグラッチ構造。
【請求項５】
前記バネ部材に設けられた軸リングは、対称或いは単一の構造であることを特徴とする、請求項３または請求項４に記載の押されると反発して位置決めされる機能を備えたコネクタプラグラッチ構造。
【請求項６】
前記バネ部材は延伸して延伸部を形成することを特徴とする、請求項３または請求項４に記載の押されると反発して位置決めされる機能を備えたコネクタプラグラッチ構造。
【考案の詳細な説明】
【技術分野】
【０００１】
本考案は押されると反発して位置決めされる機能を備えたコネクタプラグのラッチ構造に関し、特に、コネクタプラグに設けられたラッチを補助し、押された後に前記ラッチを反発させて位置決めさせる機能を備えさせることで、プラスチックが一体成型してなるラッチを効果的に補助することができ、反発応力によってずれても確実にポートの溝から外れないようにする能力を備えた、通信ケーブルやインターネットケーブルに取り付けられているコネクタプラグのラッチ構造に関する。
【背景技術】
【０００２】
現在知られている通信ケーブルやインターネットケーブルに取り付けられているコネクタプラグは、図７に示したような構造である。このコネクタプラグＡ１０の構造は、ラッチＡ１と、ケーブルガイド溝Ａ２と、ケーブルＡ３とからなる。ラッチＡ１は、主に、パソコン、或いはデジタル製品のインターフェイスのポートに嵌め込むことを機能と目的としている。そして、ラッチＡ１は、弾力により開く角度が変わる特性と、押すことができる特性を備える。それにより、ラッチＡ１は、素早く圧縮して開く角度が変化した後、ポートの溝内に差し込まれて係止される。その際、ラッチＡ１はポート内の溝に隠れる。
【０００３】
コネクタプラグＡ１０のこのような構造と機能に加え、この種のコネクタプラグＡ１０のラッチＡ１は、国際規格に準ずる。従って、既存の基本構造と形態を変えることができないため、このラッチＡ１はプラグＡ１０の最大の致命傷となっており、長期にわたって以下のような問題と欠点が生じていた。
【０００４】
１、従来のコネクタプラグＡ１０は、いずれもＰＣ材料からなり、優れた弾力機能を備えているものの、靭性が不足しているため、許容の弾性を超えることで断裂したり、老朽化することで割れたり、生産・組み立てや運送などの過程で、コネクタプラグＡ１０やラッチＡ１が折れたり、割れてしまったりすることがあり、コネクタプラグＡ１にとって、相当大きなコストの損失になる。もし、コネクタプラグＡ１０をケーブルに取り付けて配線を完了していた場合、小さなラッチＡ１の損傷により、ケーブルも一緒に無駄になってしまい、コストの損失がさらに甚大なものになる。
【０００５】
２、嵌め込まれるときに従来のコネクタプラグＡ１０が受ける応力は、完全にラッチＡ１にかかるため、もし、ラッチＡ１が不適切な外部からの力を受けて曲げられたり、過度の力で引っぱられたりすると、ラッチＡ１の弾性角度が大きくなりすぎる或いは小さくなりすぎることにより外れてしまうことがある。このため、弾性角度の限界を制限することが、ラッチを保護する唯一の方法である。
【０００６】
３、従来のコネクタプラグＡ１０が、通信、パソコン、或いはデジタル製品のインターフェイスのポート内に差し込まれると、ラッチＡ１はポート内に隠れてしまい、取り外す際に押すための露出した箇所の長さがかなり短くなってしまう。従って、インターフェイスのポートから外す際に、手でラッチＡ１の末端を押すのが、非常に困難かつ面倒である。また、尖ったラッチＡにより爪を損傷することがたびたびあり、使用者の安全性と利便性の二つの点で大きな問題がある。
【０００７】
上述の問題を解決するため、あるメーカーによって、ＰＯＭを一体成型してなるコネクタプラグＡ１０が市場に登場した。ＰＯＭは高い靭性を備えているため、コネクタプラグＡ１０が割れたり、ラッチＡ１が折れたりする問題を克服することができる。しかしながら、それに付随してくる欠点として、前記ＰＯＭからなるコネクタプラグＡ１０は優れた靭性を備えているものの、その弾性はあきらかに不十分である、という点がある。ラッチＡ１を押した後に反発して元の位置に戻る弾力が不足しているため、戻りきらないことがあり、ポートから外れてしまうという深刻な問題が生じることがよくある。
【考案の概要】
【考案が解決しようとする課題】
【０００８】
そこで、本考案は、ポートから外れないようにするために、押されると反発して位置決めされる機能を備えたコネクタプラグのラッチ構造を提供することを目的とする。
【課題を解決するための手段】
【０００９】
本考案によるコネクタプラグのラッチ構造は、コネクタプラグと、圧迫反発位置決め構造とからなる。前記コネクタプラグは、上方に配置されたラッチと、前端ケーブルガイド溝と、ケーブルとからなる。前記圧迫反発位置決め構造は、コネクタプラグラッチの後ろ向きの位置に配置され、前記圧迫反発位置決め構造のカバー片は、常にラッチの上方を覆った状態を保ち、それにより、両者は重なり覆いかぶさる構造を形成する。また、前述のカバー片の両側に設けられた対称の枢軸が、それぞれ、コネクタプラグ上方に設けられた枢支溝部の枢支溝内に枢設されることにより、枢支溝を中心として、カバー片は反り返えるように可動するとともにその尾部の位置限定作用を受け、前記カバー片の開く角度を限定することができる。なお、この開く角度は、実施上、コネクタプラグラッチが最大に開いた時の角度よりわずかに大きく、前記ラッチが開きすぎるのを防ぐことができる。
【００１０】
また、コネクタプラグラッチの下方において、カバー片の枢軸にバネ部材が枢設されることにより、バネ部材のもつ圧迫されると上に押し上げられるバネの力が、コネクタプラグラッチが反発して位置決めする力を補助する。簡単に言うと、前記コネクタプラグラッチは、カバー片に押される力と、バネ部材に押し上げられる力の二つの力にはさまれ、ラッチは、カバー片とバネ部材の間に位置が完全に制限される。
【図面の簡単な説明】
【００１１】
【図１】本考案の最も好ましい実施例の全体の外観を示した斜視図である。
【図２】本考案の構造を示した分解図である。
【図３】本考案の構造を示した俯瞰図である。
【図４】本考案が反発して位置決めされる実施例の動作を示した説明図である。
【図５】本考案のカバー片の実施例の動作を示した説明図である。
【図６】本考案のバネ部材の別の実施例を取り付けた構造を示した概略図である。
【図７】従来のコネクタプラグの外観を示した斜視図である。
【考案を実施するための形態】
【００１２】
図１、図２、図３に示すように、本考案による押されると反発して位置決めされる機能を備えたコネクタプラグのラッチ構造は、主に、コネクタプラグ１と、圧迫反発位置決め構造２とからなる。その内、コネクタプラグは、上方に配置されたラッチ１１と、前端ケーブルガイド溝１２と、ケーブル１３と、コネクタプラグ１のラッチ１１後方位置に設けられた対称の枢支溝部１４とからなる。枢支溝部１４に圧迫反発位置決め構造２を枢設することで、ラッチ１１に対応して、圧迫されると反発して位置決めされる機能を持たせることができる。
【００１３】
圧迫反発位置決め構造２は、カバー片２１とバネ部材２２とからなる。圧迫反発位置決め構造２は、コネクタプラグラッチ１１の後ろ向きの位置に配置され、圧迫反発位置決め構造のカバー片２１は、常にラッチ１１の上方を覆った状態を保ち、それにより、両者は重なり覆いかぶさる構造を形成する。また、カバー片２１には、その両側に沿って対称の枢軸２１１が設けられ、枢軸２１１により、コネクタプラグ１上方の枢支溝部１４の枢支溝１４１内にそれぞれ枢設され、それにより、カバー片２１は、枢支溝１４１を中心として反り返るように可動すると同時に、その尾部２１２の位置限定作用を受けることにより、カバー片２１の開く角度を限定することができる。なお、この開く角度は、実施上、コネクタプラグラッチ１１が最大に開いた時の角度よりわずかに大きい。
【００１４】
また、コネクタプラグラッチ１１の下方において、バネ部材２２に設けられた対称の軸リング２２１が、カバー片の対称の枢軸２１１内にそれぞれ枢設されることにより、バネ部材２２が延伸してなる延伸部２２２は、バネ部材の軸リング２２１を中心として、圧迫されると反発するバネの作用を備えることができる。これにより、バネ部材２２に生じた上に押し上げるバネの力が、コネクタプラグラッチ１１を補助することができる。このように、バネ部材２２は、反発して位置決めする力を備えている。
【００１５】
図４、図５に示すように、コネクタプラグラッチ１１は、カバー片２１の下に押される力とバネ部材２２に押し上げられる力の二つの力を受けて作動し、それにより、ラッチ１１は、カバー片２１とバネ部材２２の間に位置が限定される。つまり、カバー片２１によってラッチ１１の上方が覆われ、バネ部材２２によってラッチ１１の下方が支えられることにより、圧迫反発位置決め構造２がラッチ１１をはさんだ状態になる。従って、本考案の実施例では、カバー片２１を押すと、ラッチ１がカバー片２１から受けた下に押される力で下に圧迫されるとともに、ラッチ１１下方に配置されたバネ部材２２も圧迫され、上に押し上げるバネの力が次第に蓄えられていく（図５に図示）。カバー片２１を押す力を解放した時、バネの上に押し上げる力がたまったバネ部材２２が、反発力を放出することによりカバー片２１を上に押し上げ、さらに、尾部２１２によって位置決めされることで、最大角度が限定されて位置の固定を達成することができる。この時、それに対応して、ラッチ１１も反発して位置が固定される（図４に図示）。なお、本考案のバネ部材２２は、バネをラッチ１１の下方に直接設ける方法、或いは、筒型バネ部材２２をラッチ１１下方に直接配置する方法でも、同様に、上に押し上げて反発して位置を固定する力を得ることができる（図６に図示）。
【００１６】
上述の構造によって達せられる本考案の主な特徴は、カバー片２１の枢軸２１１をコネクタプラグ１の枢支溝部１４の枢支溝に枢設することで、枢支溝部の枢支溝１４１を枢軸の中心として、カバー片２１を反り返るように可動させることができると同時に、その尾部の位置限定作用を受けることにより、カバー片２１の開く角度を制限することができる、という点である。
【００１７】
また、ラッチ１１下方に配置されたバネ部材２２は、対称或いは単一式の軸リング２２１である。バネ部材２２は、対称或いは単一の軸リング２２１方式により、枢支溝部１４或いはカバー片２１の枢軸２１１に枢設され、その延伸部２２２は、圧迫されると反発するバネの作用を備える。これにより、バネ部材２２に生じた上に押し上げるバネの力がコネクタプラグラッチ１１を補助することができ、反発して位置決めする力を備えさせることができる。
【符号の説明】
【００１８】
（本考案）
１      コネクタプラグ
１１    ラッチ
１２    前端ケーブルガイド溝
１３    ケーブル
１４    枢支溝部
１４１  枢支溝
２      圧迫反発位置決め構造
２１    カバー片
２１１  枢軸
２１２  尾部
２２    バネ部材
２２１  軸リング
２２２  延伸部
（従来技術）
Ａ１    ラッチ
Ａ２    ケーブルガイド溝
Ａ３    ケーブル
Ａ１０  従来のコネクタプラグ
【図１】
0003181562.tif 000003
【図２】
0003181562.tif 000004
【図３】
0003181562.tif 000005
【図４】
0003181562.tif 000006
【図５】
0003181562.tif 000007
【図６】
0003181562.tif 000008
【図７】
0003181562.tif 000009